(57)【要約】      （修正有）【課題】電源ケーブルの保持または解除の作業を行う場合において、係止部先端や操作部の位置を任意に出来、電源ケーブルの保持に必要な、支持部に対する係止部のスライド動作が必要ないコードクランプを提供する。【解決手段】電源ケーブル３０のプラグ３２を、装置１００側に設けられた電源供給用のコネクタに差し込まれた状態に保持するための保持具において、電源ケーブル３０のプラグ３２を係止する係止具と、電源供給用コネクタ近傍に固定される支持具と、を備え、支持具は、電源ケーブル３０のプラグ３２と共に、係止具を任意の位置で固定することができるバンド部を備える。また、係止具は、電源ケーブル３０の根元部分に形成されたブーツ部３１を締め付けて係止することが出来、支持具とは別部品で構成され、電源ケーブル３０を電源供給用コネクタに差し込まれた状態に保持する時に支持具に固定される。【選択図】図７
2005204381.tif 000002
【特許請求の範囲】
【請求項１】
電源ケーブルのプラグを、装置側に設けられた電源供給用コネクタに差し込まれた状態に保持するための保持具であって、
前記電源ケーブルのプラグを係止する係止具と、
前記電源供給用コネクタ近傍に固定される支持具と、を備え、
前記支持具は、前記電源ケーブルのプラグと共に、前記係止具を任意の位置で固定することができるバンドを備え、
前記係止具は、電源ケーブルの根元部分に形成されたブーツ部を締め付けて係止することが出来ることを特徴とするコードクランプ。
【請求項２】
前記係止具は、前記支持具とは別部品で構成され、前記電源ケーブルを前記電源供給用コネクタに差し込まれた状態に保持する時に前記支持具に固定されることを特徴とする請求項１記載のコードクランプ。
【請求項３】
前記係止具は、前記支持具に固定可能な方向が、複数であることを特徴とする請求項２記載のコードクランプ。
【発明の詳細な説明】
【技術分野】
【０００１】
本発明は、コードクランプに関し、特に、電源ケーブルがコンセントまたはコネクタから抜けることを防止するコードクランプに関する。
【背景技術】
【０００２】
図９を参照して、従来のコードクランプについて説明する。
【０００３】
装置への電源供給のため、電源ケーブル２３０をコンセントまたはコネクタ３１０に差し込むことは、従来より行われている。
【０００４】
ところが、このような電源ケーブル２３０によって電源供給を行っている場合、電源ケーブル２３０の両端のどちらか一方が抜けてしまうと、電力供給が無くなってしまい、記憶装置などの装置の場合には、データが消失しまう恐れがある。
【０００５】
記憶装置などのデータ消失を防止するためには、電源ケーブル２３０がコンセントまたはコネクタ３１０から抜けるのを防止することが必要になる。
【発明の開示】
【発明が解決しようとする課題】
【０００６】
特許文献１に既知の技術が公開されているが、この方法では、記憶装置などに設けられている電源ケーブル２３０を接続するコネクタ３１０は、装置の両端に、複数配置されることがある場合には、ロックを解除するための操作部２１６が装置外側に存在する方向となったり、または、下側の方向になるものがあり、操作が行いにくいという難点があった。
【０００７】
【特許文献１】特開２００２−３３５６２０号公報
【０００８】
また、電源ケーブル２３０を係止するための係止部が、支持部２０２に設けられたバンド部２１２を稼動する必要があり、このため、係止部２０１を押し込むための稼働させる動作があまいと、電源ケーブル２３０がコネクタ３１０から抜けてしまう問題や、ある程度の長さを要し、結果として支持部２０２が長くなることで、装置の梱包に支障をきたす場合があった。
【０００９】
本発明の目的は電源ケーブルの保持または解除の作業を行う場合において、係止部先端や操作部の位置を任意に出来、電源ケーブルの保持に必要な、支持部に対する係止部のスライド動作が必要ないコードクランプを提供することにある。
【課題を解決するための手段】
【００１０】
請求項１に記載のコードクランプは、電源ケーブルのプラグを、装置側に設けられた電源供給用コネクタに差し込まれた状態に保持するための保持具であって、前記電源ケーブルのプラグを係止する係止具と、前記電源供給用コネクタ近傍に固定される支持具と、を備え、前記支持具は、前記電源ケーブルのプラグと共に、前記係止具を任意の位置で固定することができるバンドを備え、前記係止具は、電源ケーブルの根元部分に形成されたブーツ部を締め付けて係止することが出来ることを特徴とする。
【００１１】
請求項２に記載のコードクランプは、前記係止具が、前記支持具とは別部品で構成され、前記電源ケーブルを前記電源供給用コネクタに差し込まれた状態に保持する時に前記支持具に固定されることを特徴とする。
【００１２】
請求項３に記載のコードクランプは、前記係止具は、前記支持具に固定可能な方向が、複数であることを特徴とする。
【発明の効果】
【００１３】
本発明では、電源ケーブルの保持または解除の作業を行う場合において、係止部先端や操作部の位置を任意に出来ることが可能となり、作業性が改善に効果をもたらす。
【００１４】
また、特開２００２−３３５６２０に公開されている既知の技術において必要であった、電源ケーブルの保持に必要な、支持部に対する係止部のスライド動作が必要ない。このため、作業ミスの撲滅と、支持部の長さを短く出来るという効果がある。
【発明を実施するための最良の形態】
【００１５】
発明を実施するための最良の形態を説明する。
【実施例１】
【００１６】
次に、本発明の構成を図面を参照して詳細に説明する。図１に示すように、本実施の形態は、支持部１と係止部２によって構成されている。
【００１７】
図２を参照すると、支持部２は、カム状に形成された、係止部１（図３）に設けられた支持部固定溝１１（図４）に嵌めるための係止部固定溝２２と、支持部２の先端の設けられた固定部２１とを備えている。
【００１８】
図３を参照すると、係止部１は、電源ケーブル３０（図５）のブーツ部３１の外周へ巻き付ける、屈曲自由なバンド部１２と、そのバンド部１２の先端１３が弾性変形によって嵌合する嵌合部１４とを備えている。その嵌合部１４には、図６を参照すると、バンド部１２を、電源ケーブル３０のブーツ部３１に巻き付け、係止部１にある挿入穴１５に差込むと、バンド部１２に設けられた係止溝１７とラチェット構造を成し、バンド部の緩み防止となる爪１８が備えられている。また、バンド部１２には、嵌合部１４と嵌合するための係止溝１７と、支持部２（図２）に設けられた係止部固定溝２２と嵌合するための支持部固定溝１１が設けられている。
【００１９】
次に、以上の構成の動作について説明する。
【００２０】
まず、電源コード３０の固定方法について説明する。
【００２１】
図５、図６を参照すると、電源ケーブル３０のプラグ３２を装置１００に設けられている電源供給用のコネクタ１１０に差し込む。支持部２は、あらかじめ装置１００に固定されているブラケット１０１の固定穴１０２に、支持部２の先端固定部２１が差し込まれている。
【００２２】
係止部２を、電源ケーブル３０のブーツ部３１の横側に設置し、係止部１の先端１３を、支持部２と電源ケーブル３０のブーツ部３１と共に巻き付け、係止部２の先端１３を、これの対端側にある挿入穴１５に差込み、係止部２の嵌合部１４に設けられている操作部１６から引き出す。そして、操作部１６から出ている係止部１の先端１３を更に引き出すことで、係止部１と支持部２と電源ケーブル３０のブーツ部３１が固定され、図７に示す状態となる。
【００２３】
ここで、図６を参照すると、係止部１の勘合部１４の内部も備えられている爪１８は、弾性変形する部材で構成されており、係止溝１７と爪１８はラチェット構造を成す。従って、係止部１にある係止溝１７が爪１８より外れることはなく、結果、支持部２と電源ケーブル３０と共に締め付けた係止部１が緩むことはない。
【００２４】
また、支持部２は装置１００に固定されているブラケット１０１と固定されており、結果、電源ケーブル３０は、装置１００にある電源供給用のコネクタ１１０に保持されることになる。
【００２５】
さらに、係止部１に設けられた支持部固定溝１１は、係止部１の先端１３から嵌合部１４の裏面となる両端まで備えられている。そのため、支持部固定溝１１は、図７のおける作業完了後の電源ケーブル３０と支持部１を巻き付けた状態において、内側全周を囲うことになる。このことから、この電源ケーブル３０を保持する作業において、係止部１の嵌合部１４が電源ケーブル３０の周囲方向に対して、どの位置に存在しても、係止部１の支持部固定溝１１と支持部２の係止部固定溝２１がかみ合うため、嵌合部１４の位置規制なく作業が行えることになる。図８に組立例を示す。先に説明した図と対象となる向きで組み立てられている。
【００２６】
次に、電源ケーブル３０のプラグ３２と、装置１００のコネクタ１１０の保持を解除する方法について説明する。
【００２７】
電源ケーブル３０のプラグ３２と装置１００のコネクタ１１０の保持を解除するためには、図６または図７を参照して、係止部１の係止溝１７と爪１８がラチェット構造を成しているため、爪１８を係止溝１７から外すことで保持を解除することが出来る。作業としては、係止部１の嵌合部１４に設けられている操作部１６を、解除方向５０の方向に動作させる。すると、図６に示す、嵌合部１４の中に存在する爪１８が、バンド部に設けられた係止溝１７から離れ、結果、バンド部１２が挿入穴１５から抜くことが可能となる。
【図面の簡単な説明】
【００２８】
【図１】本発明を適用した構成を示す斜視図である。
【図２】支持部の構成を示す斜視図である。
【図３】係止部の構成を示す斜視図である。
【図４】係止部の構成を示す斜視図である。
【図５】本発明を適用した操作説明を示す斜視図である。
【図６】本発明を適用した操作説明を示す断面図である。
【図７】保持状態を示す説明図である。
【図８】使用状態の変形例を示す図である。
【図９】従来の構成を示す斜視図である。
【符号の説明】
【００２９】
１    電子機器
１    係止部
２    支持部
１１  支持部固定溝
１２  バンド部
１３  先端
１４  嵌合部
１５  挿入穴
１６  操作部
１７  係止溝
１８  爪
２１  先端固定部
２２  係止部固定溝
３０  電源ケーブル
３１  ブーツ部
３２  プラグ
５０  操作方向
１００  装置    
１０１  ブラケット
１０２  固定穴
１１０  コネクタ
２０１  係止部
２０２  支持部
２１２  バンド部
２１６  操作部
２３０  電源ケーブル
３１０  コネクタ
【図１】
2005204381.tif 000003
【図２】
2005204381.tif 000004
【図３】
2005204381.tif 000005
【図４】
2005204381.tif 000006
【図５】
2005204381.tif 000007
【図６】
2005204381.tif 000008
【図７】
2005204381.tif 000009
【図８】
2005204381.tif 000010
【図９】
2005204381.tif 000011